(57)【要約】  【課題】  変倍域全域で良好な光学性能が確保され、レンズ素子枚数の低減により小型化・低コスト化されたズームレンズ系を有する撮像レンズ装置を提供する。  【解決手段】  物体の光学像を変倍可能に形成するズームレンズ系と、そのズームレンズ系により形成された光学像を電気映像信号に変換する撮像素子と、を備える。ズームレンズ系に含まれる単レンズ素子のコバ部ＳＫには、ズームレンズ系の絞りＳＴを構成する絞り部ＳＶが形成されている。【選択図】      図１
2005134719.tif 000002
【特許請求の範囲】
【請求項１】
物体の光学像を変倍可能に形成するズームレンズ系と、そのズームレンズ系により形成された光学像を電気映像信号に変換する撮像素子と、を備えた撮像レンズ装置であって、
前記ズームレンズ系に含まれる単レンズ素子のコバ部に、ズームレンズ系の絞りを構成する絞り部が形成されていることを特徴とする撮像レンズ装置。
【請求項２】
前記ズームレンズ系が、物体側から順に、負のパワーを有する第１レンズ群と、その第１レンズ群の像側に配置された正のパワーを有する第２レンズ群と、を含み、前記第２レンズ群中に前記絞り部が形成された単レンズ素子を含むことを特徴とする請求項１記載の撮像レンズ装置。
【請求項３】
前記ズームレンズ系が、物体側から順に、負のパワーを有する第１レンズ群と、その第１レンズ群の像側に配置された正のパワーを有する第２レンズ群と、の２つのズーム群のみで構成されていることを特徴とする請求項２記載の撮像レンズ装置。
【請求項４】
前記ズームレンズ系が、物体側から順に、負のパワーを有する第１レンズ群と、その第１レンズ群の像側に配置された正のパワーを有する第２レンズ群と、その第２レンズ群の像側に配置された正のパワーを有する第３レンズ群と、の３つのズーム群のみで構成されていることを特徴とする請求項２記載の撮像レンズ装置。
【請求項５】
前記第２レンズ群が、前記単レンズ素子のみで構成されていることを特徴とする請求項２〜４のいずれか１項に記載の撮像レンズ装置。
【請求項６】
前記第２レンズ群が、前記単レンズ素子と、他の１枚のレンズ素子と、の２枚のレンズ素子のみで構成されていることを特徴とする請求項２〜４のいずれか１項に記載の撮像レンズ装置。
【請求項７】
以下の条件式(1)を満足することを特徴とする請求項２〜６のいずれか１項に記載の撮像レンズ装置；
0.2＜Ta／Tu＜0.7  …(1)
ただし、
Ta：第２レンズ群の最も物体側の面から絞り位置までの軸上距離、
Tu：第２レンズ群の最も物体側の面から最も像側の面までの軸上距離、
である。
【請求項８】
以下の条件式(2)を満足することを特徴とする請求項１〜７のいずれか１項に記載の撮像レンズ装置；
0.3＜La／Lu＜0.7  …(2)
ただし、
La：絞り部が形成されている単レンズ素子の物体側の面から絞り位置までの軸上距離、
Lu：絞り部が形成されている単レンズ素子の物体側の面から像側の面までの軸上距離、
である。
【発明の詳細な説明】
【技術分野】
【０００１】
本発明は撮像レンズ装置に関するものであり、更に詳しくは被写体の映像をズームレンズ系により光学的に取り込んで撮像素子により電気的な信号として出力する撮像レンズ装置、なかでも携帯情報機器のカメラ機能を実現するのに好適な撮像レンズ装置に関するものである。
【背景技術】
【０００２】
近年、携帯電話や携帯情報端末等の小型で携帯可能な情報機器端末に、小型の撮像レンズ装置を搭載して画像入力機能を持たせたものが急速に普及してきている。また、ウェッブカメラ等のデジタル画像を入力するための機器においても、小型の撮像レンズ装置が求められている。これらの機器に用いられる撮像レンズ装置は、最近普及している４００万画素を超える画像を取り扱うデジタルスチルカメラ用の撮像レンズ装置等と比較すると、画像伝送速度の問題があるため、画像の画素数が少ないものが多い。このため、トリミング等によって画像を変倍する、いわゆる電子ズームを行うと、画像に著しい劣化が生じるという問題がある。したがって、これらの撮像レンズ装置においても、変倍による画像の劣化が生じない光学ズーム機能を備えることができれば、そのメリットは大きい。しかし、光学ズーム機能を持った撮像レンズ装置を小型の機器に搭載するには、撮像レンズ装置の小型化が必要となる。
【０００３】
小型の撮像レンズ装置としては、例えば、特許文献１，２で提案されているものが挙げられる。特許文献１，２に記載されている撮像レンズ装置に用いられているズームレンズ系はいずれも、物体側から順に、負のパワーを有する第１レンズ群と、正のパワーを有する第２レンズ群と、を少なくとも含む構成(以下「負リードのズームレンズ系」という。)になっている。
【特許文献１】特開２００２−５５２７８号公報
【特許文献２】特開２００２−８２２８４号公報
【発明の開示】
【発明が解決しようとする課題】
【０００４】
特許文献１，２に記載されているような撮像レンズ装置では、組み込まれる機器に対する小型化・低コスト化の要求が大きいため、全系を構成するレンズ素子の枚数をできるだけ少なくすることが望まれる。また、レンズ素子が小さいためレンズ素子間の相対位置を調整することが困難であり、したがって組立調整の観点からもレンズ素子の枚数を削減することが望まれる。しかしながら、レンズ枚数の削減には様々な問題がある。
【０００５】
例えば、第２レンズ群のレンズ素子の枚数を削減しようとすると、第２レンズ群中の正レンズが光軸方向に大きくなる傾向にある。特に第２レンズ群を１枚の正レンズで構成しようとすると、この傾向が顕著に表れてしまう。一方、上記のような負リードのズームレンズ系では、小型でＦナンバーの小さいものにするために、ズーミングに際して第２レンズ群と一体で移動する絞りが、第１レンズ群より像側の光路中に配置される。上記のように第２レンズ群のレンズ枚数削減によって正レンズが光軸方向に大きくなった場合、絞りを正レンズより物体側に配置すると、特に長焦点側での光学性能を確保することが難しくなり、逆に、絞りを正レンズより像側に配置すると、特に短焦点側でのズームレンズ系の射出瞳の位置が撮像素子に対して近くなりすぎてしまう。結果として、長焦点側・短焦点側のいずれかの光学性能を犠牲にするか、レンズ素子間に更なるスペースを確保してズームレンズ系を大型化させるか、等の対応をとるしかなかった。
【０００６】
本発明はこのような状況に鑑みてなされたものであって、その目的は、変倍域全域で良好な光学性能が確保され、かつ、レンズ素子枚数の低減により小型化・低コスト化されたズームレンズ系を有する撮像レンズ装置を提供することにある。
【課題を解決するための手段】
【０００７】
上記目的を達成するために、第１の発明の撮像レンズ装置は、物体の光学像を変倍可能に形成するズームレンズ系と、そのズームレンズ系により形成された光学像を電気映像信号に変換する撮像素子と、を備えた撮像レンズ装置であって、前記ズームレンズ系に含まれる単レンズ素子のコバ部に、ズームレンズ系の絞りを構成する絞り部が形成されていることを特徴とする。
【０００８】
第２の発明の撮像レンズ装置は、上記第１の発明において、前記ズームレンズ系が、物体側から順に、負のパワーを有する第１レンズ群と、その第１レンズ群の像側に配置された正のパワーを有する第２レンズ群と、を含み、前記第２レンズ群中に前記絞り部が形成された単レンズ素子を含むことを特徴とする。
【０００９】
第３の発明の撮像レンズ装置は、上記第２の発明において、前記ズームレンズ系が、物体側から順に、負のパワーを有する第１レンズ群と、その第１レンズ群の像側に配置された正のパワーを有する第２レンズ群と、の２つのズーム群のみで構成されていることを特徴とする。
【００１０】
第４の発明の撮像レンズ装置は、上記第２の発明において、前記ズームレンズ系が、物体側から順に、負のパワーを有する第１レンズ群と、その第１レンズ群の像側に配置された正のパワーを有する第２レンズ群と、その第２レンズ群の像側に配置された正のパワーを有する第３レンズ群と、の３つのズーム群のみで構成されていることを特徴とする。
【００１１】
第５の発明の撮像レンズ装置は、上記第２〜第４のいずれか１つの発明において、前記第２レンズ群が、前記単レンズ素子のみで構成されていることを特徴とする。
【００１２】
第６の発明の撮像レンズ装置は、上記第２〜第４のいずれか１つの発明において、前記第２レンズ群が、前記単レンズ素子と、他の１枚のレンズ素子と、の２枚のレンズ素子のみで構成されていることを特徴とする。
【００１３】
第７の発明の撮像レンズ装置は、上記第２〜第６のいずれか１つの発明において、以下の条件式(1)を満足することを特徴とする。
0.2＜Ta／Tu＜0.7  …(1)
ただし、
Ta：第２レンズ群の最も物体側の面から絞り位置までの軸上距離、
Tu：第２レンズ群の最も物体側の面から最も像側の面までの軸上距離、
である。
【００１４】
第８の発明の撮像レンズ装置は、上記第１〜第７のいずれか１つの発明において、以下の条件式(2)を満足することを特徴とする。
0.3＜La／Lu＜0.7  …(2)
ただし、
La：絞り部が形成されている単レンズ素子の物体側の面から絞り位置までの軸上距離、
Lu：絞り部が形成されている単レンズ素子の物体側の面から像側の面までの軸上距離、
である。
【発明の効果】
【００１５】
本発明によれば、単レンズ素子のコバ部に形成した絞り部でズームレンズ系の絞りが構成されているため、変倍域全域で良好な光学性能が確保され、かつ、レンズ素子枚数の低減により小型化・低コスト化されたズームレンズ系を有する撮像レンズ装置を実現することができる。そして、本発明に係る撮像レンズ装置をデジタルカメラ，携帯情報機器等の機器に用いれば、これらの機器の軽量・コンパクト化，低コスト化，高性能化及び高機能化等に寄与することができる。
【発明を実施するための最良の形態】
【００１６】
以下、本発明を実施した撮像レンズ装置を、図面を参照しつつ説明する。本発明に係る撮像レンズ装置は、被写体の映像を光学的に取り込んで電気的な信号として出力する光学装置であって、被写体の静止画撮影や動画撮影に用いられるカメラの主たる構成要素を成すものである。そのようなカメラの例としては、デジタルカメラ；ビデオカメラ；監視カメラ；車載カメラ；テレビ電話用カメラ；ドアホーン用カメラ；パーソナルコンピュータ，モバイルコンピュータ，携帯電話，携帯情報端末(ＰＤＡ：Personal Digital Assistant)，これらの周辺機器(マウス，スキャナー，プリンター等)，その他のデジタル機器等に内蔵又は外付けされるカメラが挙げられる。これらの例から分かるように、撮像レンズ装置を用いることによりカメラを構成することができるだけでなく、各種機器に撮像レンズ装置を搭載することによりカメラ機能を付加することも可能である。例えば、カメラ付き携帯電話等の画像入力機能付きデジタル機器を構成することが可能である。
【００１７】
なお、従来「デジタルカメラ」の語は、専ら光学的な静止画を記録するものを指していたが、静止画と動画を同時に扱えるデジタルスチルカメラや家庭用デジタルムービーカメラも提案されており、現在では特に区別されなくなってきている。したがって「デジタルカメラ」の語は、デジタルスチルカメラ，デジタルムービーカメラ，ウェッブカメラ(オープン型・プライベート型を問わず、ネットワークに接続されて画像の送受信を可能にする機器に接続されるカメラであって、ネットワークに直接接続されるもの、パーソナルコンピュータ等の情報処理機能を有する機器を介して接続されるもの、の両方を含む。)等のように、光学像を形成する撮影レンズ系，その光学像を電気信号に変換する撮像素子等を備えた撮像レンズ装置を主たる構成要素とするカメラすべてを含むものとする。
【００１８】
図２３(Ａ),(Ｂ)に、撮像レンズ装置ＵＴの構成例を示す。図２３(Ａ)に示す撮像レンズ装置ＵＴは光路の折り曲げがないタイプの光学構成になっており、図２３(Ｂ)に示す撮像レンズ装置ＵＴは光路の折り曲げがあるタイプの光学構成になっている。これらの撮像レンズ装置ＵＴは、物体(すなわち被写体)側から順に、物体の光学像(ＩＭ：像面)を変倍可能に形成するズームレンズ系(撮影レンズ系に相当する。)ＴＬと、光学フィルター，撮像素子ＳＲのカバーガラス等に相当する平行平面板ＰＬと、ズームレンズ系ＴＬにより受光面ＳＳ上に形成された光学像ＩＭを電気映像信号に変換する撮像素子ＳＲとを備え、デジタルカメラ，携帯情報機器(つまり、携帯電話，ＰＤＡ等の小型で携帯可能な情報機器端末)等に相当するデジタル機器ＣＴの一部を成している。これらの撮像レンズ装置ＵＴでデジタルカメラを構成する場合、通常そのカメラのボディ内部に撮像レンズ装置ＵＴを配置することになるが、カメラ機能を実現する際には必要に応じた形態を採用することが可能である。例えば、ユニット化した撮像レンズ装置ＵＴをカメラボディに対して着脱自在又は回動自在に構成してもよく、ユニット化した撮像レンズ装置ＵＴを携帯情報機器(携帯電話，ＰＤＡ等)に対して着脱自在又は回動自在に構成してもよい。
【００１９】
図２３(Ｂ)に示す撮像レンズ装置では、ズームレンズ系ＴＬ内の光路の途中に平面状の反射面ＲＬが配置されており、反射面ＲＬの前側と後側には各々少なくとも１枚のレンズが配置されている。この反射面ＲＬにより、ズームレンズ系ＴＬを屈曲光学系として使用するための光路の折り曲げが行われ、その際、光軸ＡＸが略９０度(つまり９０度又は実質的に９０度)折り曲げられるようにして光束が反射される。このようにズームレンズ系ＴＬの光路中に光路を折り曲げる反射面ＲＬを設ければ、撮像レンズ装置ＵＴの配置の自由度が高まるとともに、撮像レンズ装置ＵＴの厚さ方向の大きさを変化させて、撮像レンズ装置ＵＴの見かけ上の薄型化を達成することが可能となる。特に、後述する第１レンズ群Ｇｒ１を１枚のレンズ素子で構成し、そのレンズ素子の像側に反射面ＲＬを配置した場合には、更に大きな薄型化の効果を得ることができる。
【００２０】
反射面ＲＬは、プリズム類(直角プリズム等)，ミラー類(平面ミラー等)等の反射部材により構成されるが、光路を折り曲げるための光学的作用は反射に限らず、屈折，回折，それらの組み合わせでもよい。また、図２３(Ｂ)中の反射面ＲＬは光学的パワーを有していないが、光路を折り曲げる光学部材に光学的パワーを持たせてもよい。例えば、ズームレンズ系ＴＬの光学的パワーを反射面ＲＬに一部負担させれば、レンズ素子のパワー負担を減らして光学性能を向上させることが可能となる。また、光路の折り曲げ位置はズームレンズ系ＴＬの途中に限らず、ズームレンズ系ＴＬの前又は後でもよい。光路の折り曲げ位置は必要に応じて設定すればよく、光路の適正な折り曲げにより、撮像レンズ装置ＵＴが搭載されるデジタル機器(デジタルカメラ等)の見かけ上の薄型化やコンパクト化を達成することが可能となる。
【００２１】
ズームレンズ系ＴＬは複数のレンズ群から成り、複数のレンズ群が光軸ＡＸに沿って移動し、レンズ群間隔を変化させることにより変倍(すなわちズーミング)を行う構成になっている。後述する各実施の形態では、ズームレンズ系ＴＬが負・正の２成分ズーム構成又は負・正・正若しくは負・正・負の３成分ズーム構成になっており、少なくとも第１レンズ群Ｇｒ１と第２レンズ群Ｇｒ２の間隔変化により変倍が行われる。ズームレンズ系ＴＬの像側に配置されている平行平面板ＰＬは、赤外カットフィルター等の光学フィルター；ＣＣＤカバーガラス等と光学的に等価である。赤外カットフィルターは、撮像素子ＳＲが有する高い赤外光感度のために正確な色調再現が阻害されるのを防止する。
【００２２】
撮像素子ＳＲとしては、例えば複数の画素を有するＣＣＤ(Charge Coupled Device)やＣＭＯＳ(Complementary Metal Oxide Semiconductor)センサー等の固体撮像素子が用いられる。そして、ズームレンズ系ＴＬにより(撮像素子ＳＲの受光面ＳＳ上に)形成された光学像は、撮像素子ＳＲにより電気的な信号に変換される。撮像素子ＳＲで生成した信号は、必要に応じて所定のデジタル画像処理や画像圧縮処理等が施されてデジタル映像信号としてメモリー(半導体メモリー，光ディスク等)に記録されたり、場合によってはケーブルを介したり赤外線信号に変換されたりして他の機器に伝送される。
【００２３】
なお、図２３に示す撮像レンズ装置ＵＴでは、ズームレンズ系ＴＬによって拡大側(共役長の長い側)の被写体から縮小側(共役長の短い側)の撮像素子ＳＲへの縮小投影が行われるが、撮像素子ＳＲの代わりに２次元画像を表示する表示素子(例えば液晶表示素子)を用い、ズームレンズ系ＴＬを投影レンズ系として使用すれば、縮小側の画像表示面から拡大側のスクリーン面への拡大投影を行う画像投影装置を構成することができる。つまり、以下に説明する各実施の形態のズームレンズ系ＴＬは、撮影レンズ系としての使用に限らず、投影レンズ系としても好適に使用することが可能である。
【００２４】
図１〜図１１は、第１〜第１１の実施の形態を構成するズームレンズ系ＴＬにそれぞれ対応するレンズ構成図であり、広角端(Ｗ)でのレンズ配置を光学断面で示している。各レンズ構成図中、ri(i=1,2,3,...)が付された面は物体側から数えてi番目の面(riに*印が付された面は非球面)であり、di(i=1,2,3,...)が付された軸上面間隔は、物体側から数えてi番目の軸上面間隔のうち、ズーミングにおいて変化する可変間隔である。また、各レンズ構成図中、矢印ｍ１，ｍ２，ｍ３は広角端(Ｗ)から望遠端(Ｔ)へのズーミングにおける第１レンズ群Ｇｒ１，第２レンズ群Ｇｒ２，第３レンズ群Ｇｒ３の移動をそれぞれ模式的に示しており、破線矢印ｍ３は第３レンズ群Ｇｒ３がズーミングにおいて位置固定であることを示している。いずれの実施の形態もズーミングにおいて、第１レンズ群Ｇｒ１はＵターン気味に像側へ移動し、第２レンズ群Ｇｒ２は物体側へ直進するが、第３レンズ群Ｇｒ３は、第３〜第６，第１０の実施の形態ではズーム位置固定であり、第９の実施の形態では像側へ直進する。
【００２５】
第１，第２，第７，第８，第１１の実施の形態のズームレンズ系ＴＬは、物体側から順に、負のパワーを有する第１レンズ群Ｇｒ１と、正のパワーを有する第２レンズ群Ｇｒ２と、から成り(パワー：焦点距離の逆数で定義される量)、第１レンズ群Ｇｒ１と第２レンズ群Ｇｒ２とを可動群として、そのレンズ群間隔を変化させることによりズーミングを行う２成分ズームレンズである。第３，第５，第６，第１０の実施の形態のズームレンズ系ＴＬは、物体側から順に、負のパワーを有する第１レンズ群Ｇｒ１と、正のパワーを有する第２レンズ群Ｇｒ２と、負のパワーを有する第３レンズ群Ｇｒ３と、から成り、第１レンズ群Ｇｒ１と第２レンズ群Ｇｒ２とを可動群として、各レンズ群間隔を変化させることによりズーミングを行う３成分ズームレンズである。第４，第９の実施の形態のズームレンズ系ＴＬは、物体側から順に、負のパワーを有する第１レンズ群Ｇｒ１と、正のパワーを有する第２レンズ群Ｇｒ２と、正のパワーを有する第３レンズ群Ｇｒ３と、から成り、第１，第２レンズ群Ｇｒ１，Ｇｒ２、又は第１〜第３レンズ群Ｇｒ１〜Ｇｒ３を可動群として、各レンズ群間隔を変化させることによりズーミングを行う３成分ズームレンズである。また、第１〜第１１の実施の形態において、各ズームレンズ系ＴＬの像側には、前述の平行平面板ＰＬが１枚又は２枚配置されている。各実施の形態のレンズ構成を以下に詳しく説明する。
【００２６】
第１の実施の形態(図１)では、負・正の２成分ズーム構成において、各レンズ群ともレンズ素子１枚で構成されている。第１レンズ群Ｇｒ１は近軸的に両凹形状(両面が非球面)の第１レンズＬ１のみから成っており、第２レンズ群Ｇｒ２は近軸的に物体側に凸の正メニスカス形状(両面が非球面)の第２レンズＬ２のみから成っている。第２レンズＬ２はガラスを材料とする単レンズ素子であり、そのコバ部ＳＫには切欠きから成る絞り部ＳＶが設けられている。そして絞り部ＳＶは、光線をカットする絞りＳＴとして機能する。
【００２７】
第２の実施の形態(図２)では、負・正の２成分ズーム構成において、各レンズ群ともレンズ素子１枚で構成されている。第１レンズ群Ｇｒ１は近軸的に両凹形状(両面が非球面)の第１レンズＬ１のみから成っており、第２レンズ群Ｇｒ２は近軸的に両凸形状(両面が非球面)の第２レンズＬ２のみから成っている。第２レンズＬ２はガラスを材料とする単レンズ素子であり、そのコバ部ＳＫには切欠きから成る絞り部ＳＶが設けられている。そして絞り部ＳＶは、光線をカットする絞りＳＴとして機能する。
【００２８】
第３の実施の形態(図３)では、負・正・負の３成分ズーム構成において、各レンズ群ともレンズ素子１枚で構成されている。第１レンズ群Ｇｒ１は近軸的に両凹形状(両面が非球面)の第１レンズＬ１のみから成っており、第２レンズ群Ｇｒ２は近軸的に両凸形状(両面が非球面)の第２レンズＬ２のみから成っており、第３レンズ群Ｇｒ３は近軸的に物体側に凸の負メニスカス形状(両面が非球面)の第３レンズＬ３のみから成っている。第２レンズＬ２はガラスを材料とする単レンズ素子であり、そのコバ部ＳＫには切欠きから成る絞り部ＳＶが設けられている。そして絞り部ＳＶは、光線をカットする絞りＳＴとして機能する。
【００２９】
第４の実施の形態(図４)では、負・正・正の３成分ズーム構成において、各レンズ群ともレンズ素子１枚で構成されている。第１レンズ群Ｇｒ１は近軸的に物体側に凸の負メニスカス形状(両面が非球面)の第１レンズＬ１のみから成っており、第２レンズ群Ｇｒ２は近軸的に両凸形状(両面が非球面)の第２レンズＬ２のみから成っており、第３レンズ群Ｇｒ３は近軸的に物体側に凸の正メニスカス形状(両面が非球面)の第３レンズＬ３のみから成っている。第２レンズＬ２はプラスチックを材料とする単レンズ素子であり、そのコバ部ＳＫには切欠きから成る絞り部ＳＶが設けられている。そして絞り部ＳＶは、光線をカットする絞りＳＴとして機能する。
【００３０】
第５の実施の形態(図５)では、負・正・負の３成分ズーム構成において、各レンズ群ともレンズ素子１枚で構成されている。第１レンズ群Ｇｒ１は近軸的に物体側に凸の負メニスカス形状(両面が非球面)の第１レンズＬ１のみから成っており、第２レンズ群Ｇｒ２は近軸的に物体側に凸の正メニスカス形状(両面が非球面)の第２レンズＬ２のみから成っており、第３レンズ群Ｇｒ３は近軸的に物体側に凸の負メニスカス形状(両面が非球面)の第３レンズＬ３のみから成っている。第２レンズＬ２はプラスチックを材料とする単レンズ素子であり、そのコバ部ＳＫには切欠きから成る絞り部ＳＶが設けられている。そして絞り部ＳＶは、光線をカットする絞りＳＴとして機能する。
【００３１】
第６の実施の形態(図６)では、負・正・負の３成分ズーム構成において、各レンズ群ともレンズ素子１枚で構成されている。第１レンズ群Ｇｒ１は近軸的に両凹形状(両面が非球面)の第１レンズＬ１のみから成っており、第２レンズ群Ｇｒ２は近軸的に両凸形状(両面が非球面)の第２レンズＬ２のみから成っており、第３レンズ群Ｇｒ３は近軸的に物体側に凸の負メニスカス形状(両面が非球面)の第３レンズＬ３のみから成っている。第２レンズＬ２はガラスを材料とする単レンズ素子であり、そのコバ部ＳＫには切欠きから成る絞り部ＳＶが設けられている。そして絞り部ＳＶは、光線をカットする絞りＳＴとして機能する。
【００３２】
第７の実施の形態(図７)では、負・正の２成分ズーム構成において、第１レンズ群Ｇr1がレンズ素子１枚、第２レンズ群Ｇｒ２が接合レンズ１枚で構成されている。第１レンズ群Ｇｒ１は近軸的に物体側に凸の負メニスカス形状(両面が非球面)の第１レンズＬ１のみから成っており、第２レンズ群Ｇｒ２は近軸的に物体側に凸の負メニスカス形状(物体側面が非球面)の第２レンズＬ２と、近軸的に両凸形状(像側面が非球面)の第３レンズＬ３と、を接合して成る接合レンズのみから成っている。第２レンズＬ２はプラスチックを材料とする単レンズ素子であり、そのコバ部ＳＫには切欠きから成る絞り部ＳＶが設けられている。そして絞り部ＳＶは、光線をカットする絞りＳＴとして機能する。
【００３３】
第８の実施の形態(図８)では、負・正の２成分ズーム構成において、第１レンズ群Ｇr1がレンズ素子１枚、第２レンズ群Ｇｒ２がレンズ素子２枚で構成されている。第１レンズ群Ｇｒ１は近軸的に物体側に凸の負メニスカス形状(両面が非球面)の第１レンズＬ１のみから成っており、第２レンズ群Ｇｒ２は近軸的に物体側に凸の負メニスカス形状(物体側面が非球面)の第２レンズＬ２と、近軸的に両凸形状(両面が非球面)の第３レンズＬ３と、の２枚から成っている。第２レンズＬ２はガラスを材料とする単レンズ素子であり、そのコバ部ＳＫには切欠きから成る絞り部ＳＶが設けられている。そして絞り部ＳＶは、光線をカットする絞りＳＴとして機能する。
【００３４】
第９の実施の形態(図９)では、負・正・正の３成分ズーム構成において、第１レンズ群Ｇr1がレンズ素子２枚、第２レンズ群Ｇｒ２が接合レンズ１枚、第３レンズ群Ｇｒ３がレンズ素子１枚で構成されている。第１レンズ群Ｇｒ１は、近軸的に両凹形状(物体側面が非球面)の第１レンズＬ１と、近軸的に物体側に凸の正メニスカス形状(物体側面が非球面)の第２レンズＬ２と、から成っている。第２レンズ群Ｇｒ２は、近軸的に両凸形状の第３レンズＬ３と、近軸的に両凹形状(像側面が非球面)の第４レンズＬ４と、を接合して成る接合レンズのみから成っている。第３レンズ群Ｇｒ３は近軸的に両凸形状(像側面が非球面)の第５レンズＬ５のみから成っている。第３レンズＬ３はガラスを材料とする単レンズ素子であり、そのコバ部ＳＫには切欠きから成る絞り部ＳＶが設けられている。そして絞り部ＳＶは、光線をカットする絞りＳＴとして機能する。
【００３５】
第１０の実施の形態(図１０)では、負・正・負の３成分ズーム構成において、第１レンズ群Ｇr1がレンズ素子１枚、第２レンズ群Ｇｒ２が接合レンズ１枚、第３レンズ群Ｇｒ３がレンズ素子１枚で構成されている。第１レンズ群Ｇｒ１は、近軸的に両凹形状(両面が非球面)の第１レンズＬ１のみから成っており、第２レンズ群Ｇｒ２は近軸的に両凸形状(物体側面が非球面)の第２レンズＬ２と、近軸的に像側に凸の負メニスカス形状(像側面が非球面)の第３レンズＬ３と、を接合して成る接合レンズのみから成っている。第３レンズ群Ｇｒ３は近軸的に物体側に凸の負メニスカス形状(両面が非球面)の第４レンズＬ４のみから成っている。第２レンズＬ２はガラスを材料とする単レンズ素子であり、そのコバ部ＳＫには切欠きから成る絞り部ＳＶが設けられている。そして絞り部ＳＶは、光線をカットする絞りＳＴとして機能する。
【００３６】
第１１の実施の形態(図１１)では、負・正の２成分ズーム構成において、各レンズ群ともレンズ素子１枚で構成されている。第１レンズ群Ｇｒ１は近軸的に両凹形状(両面が非球面)の第１レンズＬ１のみから成っており、第２レンズ群Ｇｒ２は近軸的に両凸形状(両面が非球面)の第２レンズＬ２のみから成っている。第２レンズＬ２はガラスを材料とする単レンズ素子であり、そのコバ部ＳＫには切欠きから成る絞り部ＳＶが設けられている。そして絞り部ＳＶは、光線をカットする絞りＳＴとして機能する。
【００３７】
上述したいずれの実施の形態においても、第２レンズ群Ｇｒ２中の単レンズ素子のコバ部ＳＫには、ズームレンズ系ＴＬの絞りＳＴを構成する絞り部ＳＶが設けられている。このように、ズームレンズ系ＴＬを構成する単レンズ素子において、そのコバ部ＳＫに絞り部ＳＶを形成することは、絞りＳＴ位置の自由度を高めることを可能にし、変倍域全域にわたって良好な光学性能を達成することを可能にする。つまり、従来は不要光線を規制するための遮光板的機能しか持ち得なかったコバ部ＳＫに対し、切欠きから成る絞り部ＳＶを設けることで、単レンズ素子内部に絞りＳＴが配置されることになり、そのため、絞りＳＴ位置の自由度が向上して、変倍域全域にわたって良好な光学性能が達成されるのである。
【００３８】
各実施の形態のように、ズームレンズ系ＴＬの移動群に絞りＳＴを含むズーム構成では、単レンズ素子のコバ部ＳＫに絞り部ＳＶを形成することによって、移動群の軽量化による駆動負荷の軽減等が可能になる。したがって、ズーム駆動機構が簡単になる等のメリットが得られる。また、単レンズ素子のコバ部ＳＫに絞り部ＳＶを形成することによって、射出瞳位置をある有限長以上に設定することが可能になる。このため、射出瞳位置に制約を持つ撮像素子を備えた撮像レンズ装置においても有効に対応することができる。さらに、第２レンズ群Ｇｒ２中の単レンズ素子のコバ部ＳＫに絞り部ＳＶを設けることにより絞りＳＴを構成することは、非点収差的に最も有利であり、射出瞳位置を確保する上でも有効である。つまり、非点収差と射出瞳位置確保とを効果的に両立させることが可能となる。また、レンズ径の均等化やユニットサイズの均等化を図る上でも有利であり、第１レンズ群Ｇｒ１や第３レンズ群Ｇｒ３が極端に大型化するのを避けることができる。
【００３９】
単レンズ素子のコバ部ＳＫに切欠きから成る絞り部ＳＶを形成することでズームレンズ系ＴＬの絞りＳＴを構成すれば、レンズ間に絞りを挟む構成よりもコンパクトにすることができ、しかも簡単な製造工程で高い精度が得られる。また、単レンズ素子を保持するための玉枠部材に対し、切欠きから成る絞り部ＳＶを保持部として用いることができるので、レンズ系の短縮も可能となる。
【００４０】
絞り部ＳＶが形成される単レンズ素子の材料は、ガラス，プラスチックのいずれでもよい。また、ガラスを材料とする場合には、精密ガラスモールド成形を用いる方法、精密研磨により製造する方法のいずれを採用してもよく、前者の場合には成形時に切欠きを同時に形成してもよい。
【００４１】
コバ部ＳＫに形成される絞り部ＳＶの形成方法としては、以下のような方法(I)の(i)〜(iv)や方法(II)の(i)〜(iv)が挙げられる。なお、以下の方法のうち、ガラスやプラスチックをモールド成形する方法においては、レンズを保持する前記玉枠部材に対して切欠きが前記保持部となるように同時成形してもよい。
【００４２】
(I)用いる金型のコバ部形成部分に切欠き形成部分を設けておき、ガラスやプラスチックを同時モールド成形する方法であって、
(i)成形時又は成形後に切欠きに墨塗り又は黒色印刷を施す方法、
(ii)成形時の転写により表面粗さの大きい切欠きが形成されるように製造された金型を用いる方法、
(iii)成形後に切欠きに黒色のシールを貼付する方法、又は
(iv)成形後に切欠きにワッシャ部材又はリング部材をはめ込む方法。
【００４３】
(II)モールド成形又は通常の研磨成形で製造されたガラスレンズのコバ部に、切削加工を施すことにより切欠きを形成する方法であって、
(i)切削加工後に切欠きに墨塗り又は黒色印刷を施す方法、
(ii)切欠きの表面粗さが大きくなるように切削加工を施す方法、
(iii)切削加工後に切欠きに黒色のシールを貼付する方法、又は
(iv)切削加工後に切欠きにワッシャ部材又はリング部材をはめ込む方法。
【００４４】
前述したように第１〜第６，第１１の実施の形態では、第２レンズ群Ｇｒ２が絞り部ＳＶを有する単レンズ素子のみで構成されている。このように、第２レンズ群Ｇｒ２を単レンズ素子のみで構成することにより、低コストでコンパクトなズームレンズ系を実現することができる。一方、第７〜第１０の実施の形態では、第２レンズ群Ｇｒ２が絞り部ＳＶを有する単レンズ素子と、その他のレンズ素子と、で構成されている。これらのうち、第７，第９，第１０の実施の形態では、絞り部ＳＶを有する単レンズ素子と他のレンズ素子とが接合されている。接合レンズを用いることにより、絞りＳＴ近傍で誤差感度が高いにもかかわらず、極めて径の小さいレンズの相対位置を維持することが容易になり、組立上又は鏡筒設計上有利になる。また、第８の実施の形態のように、絞り部ＳＶを有する単レンズ素子と他のレンズ素子とをそれぞれ独立にすると、誤差感度上は不利になるが、設計上の自由度は向上し、より光学性能の高いズームレンズ系を得ることができる。
【００４５】
各実施の形態のように、ズームレンズ系の第２レンズ群に含まれる単レンズ素子のコバ部に、絞り部を形成することによりズームレンズ系の絞りを構成する場合、以下の条件式(1)を満足することが望ましい。
0.2＜Ta／Tu＜0.7  …(1)
ただし、
Ta：第２レンズ群の最も物体側の面から絞り位置までの軸上距離、
Tu：第２レンズ群の最も物体側の面から最も像側の面までの軸上距離、
である。
【００４６】
条件式(1)は、第２レンズ群内の絞り部の位置について好ましい条件範囲を規定している。条件式(1)の上限を越えると、絞り位置が像側に近づき過ぎることになるため、短焦点側でのズームレンズ系の射出瞳位置が撮像素子に対して近くなり過ぎてしまい、像面照度を確保することが難しくなる。逆に、条件式(1)の下限を越えると、絞り位置が物体側に遠ざかり過ぎることになるため、長焦点側でのズームレンズ系の収差補正、特に非点収差の補正が難しくなる。
【００４７】
以下の条件式(1a)を満足することが更に望ましい。
0.5＜Ta／Tu＜0.7  …(1a)
この条件式(1a)は、上記条件式(1)が規定している条件範囲のなかでも、上記観点等に基づいてより一層好ましい条件範囲を規定している。つまり、絞り位置は後ろ側の方が理想的であり、条件式(1a)を満たすことにより非点収差をより良く補正することが可能となるのである。
【００４８】
各実施の形態のように、ズームレンズ系に含まれる単レンズ素子のコバ部に絞り部を形成することによりズームレンズ系の絞りを構成する場合、以下の条件式(2)を満足することが望ましい。
0.3＜La／Lu＜0.7  …(2)
ただし、
La：絞り部が形成されている単レンズ素子の物体側の面から絞り部までの軸上距離、
Lu：絞り部が形成されている単レンズ素子の物体側の面から像側の面までの軸上距離、
である。
【００４９】
条件式(2)は、単レンズ素子中の絞り部の位置について好ましい条件範囲を規定している。条件式(2)の条件範囲を外れると、絞り部がレンズ入射面又は射出面に近づき過ぎることになるため、単レンズ素子に絞り部を設けるメリットが低減してしまう。また、単レンズ素子がガラスレンズ，プラスチックレンズのいずれの場合であっても、製造が困難になるため好ましくない。
【００５０】
以下の条件式(2a)を満足することが更に望ましい。
0.5＜La／Lu＜0.7  …(2a)
この条件式(2a)は、上記条件式(2)が規定している条件範囲のなかでも、上記観点等に基づいてより一層好ましい条件範囲を規定している。つまり、絞り位置は後ろ側の方が理想的であり、条件式(2a)を満たすことにより非点収差をより良く補正することが可能となるのである。
【００５１】
各実施の形態を構成しているズームレンズ系ＴＬには、入射光線を屈折作用により偏向させる屈折型レンズ(つまり、異なる屈折率を有する媒質同士の界面で偏向が行われるタイプのレンズ)が用いられているが、使用可能なレンズはこれに限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。ただし、媒質内で屈折率が変化する屈折率分布型レンズは、その複雑な製法がコストアップを招くため、屈折率分布の均一な均質素材レンズを用いることが望ましい。また、開口絞りＳＴのほかに不要光をカットするための光束規制板等を必要に応じて配置してもよい。
【００５２】
なお、上述した各実施の形態や後述する各実施例には以下の構成が含まれている。そしてこれらの構成によると、変倍域全域で良好な光学性能が確保され、かつ、レンズ素子枚数の低減により小型化・低コスト化されたズームレンズを実現することができる。そして、それをデジタルカメラ，携帯情報機器(携帯電話，ＰＤＡ等)等の撮影レンズ系として用いることにより、当該機器の軽量・コンパクト化，低コスト化，高性能化及び高機能化等に寄与することができる。
【００５３】
(Z1)  複数のレンズ群から成りレンズ群間隔を変えることにより変倍を行うズームレンズであって、その絞りとして機能する絞り部がコバ部に形成された単レンズ素子を、いずれか１つのレンズ群に有することを特徴とするズームレンズ。
【００５４】
(Z2)  複数のレンズ群から成りレンズ群間隔を変えることにより変倍を行うズームレンズであって、いずれか１つのレンズ群に含まれる単レンズ素子が、ズームレンズ系の絞りりとして機能する絞り部をコバ部に有することを特徴とするズームレンズ。
【００５５】
(Z3)  物体側から順に、負のパワーを有する第１レンズ群と、正のパワーを有する第２レンズ群と、を備え、前記第２レンズ群中に前記単レンズ素子を有することを特徴とする上記(Z1)又は(Z2)記載のズームレンズ。
【００５６】
(Z4)  物体側から順に、負のパワーを有する第１レンズ群と、正のパワーを有する第２レンズ群と、の２つのズーム群のみから成ることを特徴とする上記(Z3)記載のズームレンズ。
【００５７】
(Z5)  物体側から順に、負のパワーを有する第１レンズ群と、正のパワーを有する第２レンズ群と、正のパワーを有する第３レンズ群と、の３つのズーム群のみから成ることを特徴とする上記(Z3)記載のズームレンズ。
【００５８】
(Z6)  物体側から順に、負のパワーを有する第１レンズ群と、正のパワーを有する第２レンズ群と、負のパワーを有する第３レンズ群と、の３つのズーム群のみから成ることを特徴とする上記(Z3)記載のズームレンズ。
【００５９】
(Z7)  前記第２レンズ群が前記単レンズ素子のみから成ることを特徴とする上記(Z3)〜(Z6)のいずれか１項に記載のズームレンズ。
【００６０】
(Z8)  前記第２レンズ群が前記単レンズ素子と、他の１枚のレンズ素子と、の２枚のレンズ素子のみから成ることを特徴とする上記(Z3)〜(Z7)のいずれか１項に記載のズームレンズ。
【００６１】
(Z9)  前記第２レンズ群が前記単レンズ素子と、他の１枚のレンズ素子と、の２枚のレンズ素子の接合レンズのみから成ることを特徴とする上記(Z8)記載のズームレンズ。
【００６２】
(Z10)  前記条件式(1),(1a),(2),(2a)のうちの少なくとも１つを満足することを特徴とする上記(Z1)〜(Z9)のいずれか１項に記載のズームレンズ。
【００６３】
(U1)  上記(Z1)〜(Z10)のいずれか１項に記載のズームレンズと、そのズームレンズにより形成された光学像を電気的な信号に変換する撮像素子と、を備えたことを特徴とする撮像レンズ装置。
【００６４】
(C1)  上記(U1)記載の撮像レンズ装置を備え、被写体の静止画撮影，動画撮影のうちの少なくとも一方に用いられることを特徴とするカメラ。
【００６５】
(C2)  デジタルカメラ；ビデオカメラ；又は携帯電話，携帯情報端末，パーソナルコンピュータ，モバイルコンピュータ，若しくはこれらの周辺機器に内蔵又は外付けされるカメラであることを特徴とする上記(C1)記載のカメラ。
【００６６】
(D1)  上記(U1)記載の撮像レンズ装置を備えることにより、被写体の静止画撮影，動画撮影のうちの少なくとも一方の機能が付加されたことを特徴とするデジタル機器。
【００６７】
(D2)  携帯電話，携帯情報端末，パーソナルコンピュータ，モバイルコンピュータ，又はこれらの周辺機器であることを特徴とする上記(D1)記載のデジタル機器。
【実施例】
【００６８】
以下、本発明を実施した撮像レンズ装置に用いられるズームレンズ系の構成等を、コンストラクションデータ等を挙げて更に具体的に説明する。ここで挙げる実施例１〜１１は、前述した第１〜第１１の実施の形態にそれぞれ対応する数値実施例であり、第１〜第１１の実施の形態を表す光学構成図(図１〜図１１)は、対応する実施例１〜１１のレンズ構成をそれぞれ示している。
【００６９】
各実施例のコンストラクションデータにおいて、ri(i=1,2,3,...)は物体側から数えてi番目の面の曲率半径(mm)、di(i=1,2,3,...)は物体側から数えてi番目の軸上面間隔(mm)を示しており、Ni(i=1,2,3,...),νi(i=1,2,3,...)は物体側から数えてi番目の光学要素のｄ線に対する屈折率(Ｎd),アッベ数(νd)を示している。また、コンストラクションデータ中、ズーミングにおいて変化する軸上面間隔は、広角端(最短焦点距離状態,Ｗ)〜ミドル(中間焦点距離状態,Ｍ)〜望遠端(最長焦点距離状態,Ｔ)での可変空気間隔である。各焦点距離状態(Ｗ),(Ｍ),(Ｔ)に対応する全系の焦点距離(f,mm)及びＦナンバー(FNO)を他のデータとあわせて示し、表１に各条件式規定のパラメータに対応する値を各実施例について示す。
【００７０】
曲率半径riに*印が付された面は、非球面(非球面形状の屈折光学面、非球面と等価な屈折作用を有する面等)であり、非球面の面形状を表す以下の式(AS)で定義される。各実施例の非球面データを他のデータとあわせて示す。
X＝{(1/r)・h2}／[1+√{1-ε・(1/r)2・h2}]＋Σ(Aj・hj) …(AS)
ただし、式(AS)中、
X：高さhの位置での光軸ＡＸ方向の変位量(面頂点基準)、
h：光軸ＡＸに対して垂直な方向の高さ、
r：非球面の近軸曲率半径、
ε：２次曲面パラメータ、
Aj：非球面のj次の非球面係数(Aj=0の場合のデータは省略する。)、
である。
【００７１】
図１２〜図２２は実施例１〜実施例１１にそれぞれ対応する収差図であり、(Ｗ)は広角端，(Ｍ)はミドル，(Ｔ)は望遠端における無限遠合焦状態での諸収差{左から順に、球面収差等，非点収差，歪曲収差である。FNOはＦナンバー、Y'(mm)は撮像素子ＳＲの受光面ＳＳ上での最大像高(光軸ＡＸからの距離に相当する)である。}を示している。球面収差図において、実線ｄはｄ線、一点鎖線ｇはｇ線、二点鎖線ｃはｃ線に対する各球面収差(mm)を表しており、破線ＳＣは正弦条件不満足量(mm)を表している。非点収差図において、破線ＤＭはメリディオナル面、実線ＤＳはサジタル面でのｄ線に対する各非点収差(mm)を表している。また、歪曲収差図において実線はｄ線に対する歪曲(％)を表している。
【００７２】
《実施例１》
f=2.1〜3.1〜4.2,FNO=3.38〜3.75〜4.10
[曲率半径] [軸上面間隔]  [屈折率]   [アッベ数]
・(Gr1)
r1*=  -9.035
d1=  1.000  N1=1.52200  ν1=52.20(L1)
r2*=  17.575
d2=  9.562〜3.661〜0.800
・(Gr2)
r3*=   1.620
d3=  1.500  N2=1.51728  ν2=69.43(L2)
r4=   ∞(ST)
d4=  1.500  N3=1.51728  ν3=69.43(L2)
r5*=  12.073
d5=  0.868〜1.174〜1.468
・(PL)
r6=   ∞
d6=  1.000  N4=1.51680  ν4=64.20
r7=   ∞
【００７３】
[第１面(r1)の非球面データ]
ε= 0.10000×10,A4= 0.44973×10-2,A6=-0.26168×10-3,A8= 0.59240×10-5,A10=-0.29627×10-7
[第２面(r2)の非球面データ]
ε= 0.10000×10,A4= 0.26208×10-2,A6= 0.42547×10-4,A8=-0.24990×10-4,A10= 0.94577×10-6
[第３面(r3)の非球面データ]
ε= 0.10000×10,A4=-0.29006×10-1,A6= 0.74159×10-1,A8=-0.11619,A10= 0.55993×10-1
[第５面(r5)の非球面データ]
ε= 0.10000×10,A4= 0.13463,A6=-0.41646,A8= 0.93524,A10=-0.69342
【００７４】
《実施例２》
f=2.1〜4.2〜6.0,FNO=2.77〜3.49〜4.10
[曲率半径] [軸上面間隔]  [屈折率]   [アッベ数]
・(Gr1)
r1*= -10.444
d1=  1.500  N1=1.52200  ν1=52.20(L1)
r2*=   8.448
d2= 11.854〜3.387〜0.800
・(Gr2)
r3*=   2.121
d3=  2.100  N2=1.51728  ν2=69.43(L2)
r4=   ∞(ST)
d4=  1.500  N3=1.51728  ν3=69.43(L2)
r5*=-203.854
d5=  1.746〜2.731〜3.597
・(PL)
r6=   ∞
d6=  1.000  N4=1.51680  ν4=64.20
r7=   ∞
【００７５】
[第１面(r1)の非球面データ]
ε= 0.10000×10,A4= 0.62059×10-2,A6=-0.29486×10-3,A8= 0.54655×10-5,A10=-0.31327×10-7
[第２面(r2)の非球面データ]
ε= 0.10000×10,A4= 0.88551×10-2,A6=-0.26773×10-3,A8=-0.25888×10-4,A10= 0.11494×10-5
[第３面(r3)の非球面データ]
ε= 0.10000×10,A4=-0.60015×10-2,A6= 0.12541×10-2,A8=-0.21430×10-2,A10= 0.38473×10-3
[第５面(r5)の非球面データ]
ε= 0.10000×10,A4= 0.12866×10-1,A6= 0.77039×10-1,A8=-0.13581,A10= 0.84281×10-1
【００７６】
《実施例３》
f=2.8〜4.2〜5.6,FNO=2.99〜3.57〜4.10
[曲率半径] [軸上面間隔]  [屈折率]   [アッベ数]
・(Gr1)
r1*=-167.340
d1=  0.900  N1=1.52200  ν1=52.20(L1)
r2*=   2.800
d2=  4.142〜1.888〜0.739
・(Gr2)
r3*=   2.302
d3=  2.000  N2=1.62041  ν2=60.29(L2)
r4=   ∞(ST)
d4=  0.950  N3=1.62041  ν3=60.29(L2)
r5*=  -6.756
d5=  0.800〜1.521〜2.310
・(Gr3)
r6*=   5.528
d6=  0.900  N4=1.52200  ν4=52.20(L3)
r7*=   2.379
d7=  0.900
・(PL)
r8=   ∞
d8=  0.800  N5=1.51680  ν5=64.20
r9=   ∞
【００７７】
[第１面(r1)の非球面データ]
ε= 0.10000×10,A4= 0.38853×10-1,A6=-0.60464×10-2,A8=-0.16696×10-3,A10= 0.74999×10-4
[第２面(r2)の非球面データ]
ε= 0.10000×10,A4= 0.50389×10-1,A6= 0.18103×10-1,A8=-0.17810×10-1,A10= 0.35326×10-2
[第３面(r3)の非球面データ]
ε= 0.10000×10,A4=-0.45628×10-2,A6=-0.27446×10-2,A8=-0.15639×10-2,A10= 0.10395×10-2
[第５面(r5)の非球面データ]
ε= 0.10000×10,A4=-0.87814×10-2,A6=-0.31557×10-1,A8= 0.29606×10-1
[第６面(r6)の非球面データ]
ε= 0.10000×10,A4=-0.17703,A6=-0.58710×10-1,A8=-0.53694×10-1,A10= 0.17171×10-1
[第７面(r7)の非球面データ]
ε= 0.10000×10,A4=-0.16131,A6=-0.37888×10-1,A8= 0.14734×10-1
【００７８】
《実施例４》
f=2.2〜2.6〜4.1,FNO=2.94〜3.16〜3.95
[曲率半径] [軸上面間隔]  [屈折率]   [アッベ数]
・(Gr1)
r1*= 100.000
d1=  0.800  N1=1.52200  ν1=52.20(L1)
r2*=   2.544
d2=  2.913〜1.976〜0.307
・(Gr2)
r3*=   1.850
d3=  1.486  N2=1.52200  ν2=52.20(L2)
r4=   ∞(ST)
d4=  1.377  N3=1.52200  ν3=52.20(L2)
r5*=  -4.602
d5=  0.423〜0.696〜2.102
・(Gr3)
r6*=   1.956
d6=  0.717  N4=1.52200  ν4=52.20(L3)
r7*=   2.094
d7=  1.133
・(PL)
r8=   ∞
d8=  0.400  N5=1.51680  ν5=64.20
r9=   ∞
【００７９】
[第１面(r1)の非球面データ]
ε= 0.10000×10,A4= 0.35885×10-1,A6=-0.66225×10-2,A8= 0.72434×10-3,A10=-0.35905×10-4
[第２面(r2)の非球面データ]
ε= 0.10000×10,A4= 0.60247×10-1,A6=-0.25642×10-2,A8=-0.11236×10-2,A10= 0.66126×10-3
[第３面(r3)の非球面データ]
ε= 0.10000×10,A4=-0.30194×10-2,A6=-0.57182×10-2,A8=-0.15612×10-2,A10=-0.27329×10-2
[第５面(r5)の非球面データ]
ε= 0.10000×10,A4=-0.35891×10-2,A6=-0.45460×10-1,A8= 0.12000,A10=-0.74043×10-1
[第６面(r6)の非球面データ]
ε= 0.10000×10,A4=-0.10370,A6=-0.18417×10-1,A8=-0.73429×10-2,A10= 0.35692×10-2
[第７面(r7)の非球面データ]
ε= 0.10000×10,A4=-0.62168×10-1,A6=-0.59791×10-1,A8= 0.12803×10-1
【００８０】
《実施例５》
f=2.0〜4.0〜5.8,FNO=2.47〜3.35〜4.10
[曲率半径] [軸上面間隔]  [屈折率]   [アッベ数]
・(Gr1)
r1*= 360.327
d1=  1.200  N1=1.52200  ν1=52.20(L1)
r2*=   2.846
d2=  5.772〜1.890〜0.700
・(Gr2)
r3*=   1.609
d3=  1.000  N2=1.52510  ν2=56.38(L2)
r4=   ∞(ST)
d4=  0.795  N3=1.52510  ν3=56.38(L2)
r5*=  12.260
d5=  0.670〜2.100〜3.362
・(Gr3)
r6*=   2.229
d6=  0.911  N4=1.52200  ν4=52.20(L3)
r7*=   1.992
d7=  0.448
・(PL)
r8=   ∞
d8=  0.900  N5=1.51680  ν5=64.20
r9=   ∞
【００８１】
[第１面(r1)の非球面データ]
ε= 0.10000×10,A4=-0.22331×10-2,A6= 0.12971×10-2,A8=-0.65157×10-4,A10= 0.89279×10-6
[第２面(r2)の非球面データ]
ε= 0.10000×10,A4=-0.13455×10-1,A6= 0.15144×10-1,A8=-0.67551×10-2,A10= 0.14671×10-2
[第３面(r3)の非球面データ]
ε= 0.10000×10,A4=-0.82954×10-2,A6=-0.13283×10-1,A8= 0.24021×10-1,A10=-0.12734×10-1
[第５面(r5)の非球面データ]
ε= 0.10000×10,A4= 0.52578×10-1,A6=-0.36430×10-2,A8= 0.30413×10-1,A10= 0.12041×10-1
[第６面(r6)の非球面データ]
ε= 0.10000×10,A4=-0.70966×10-1,A6=-0.52535×10-2,A8= 0.24464×10-1,A10=-0.78896×10-2
[第７面(r7)の非球面データ]
ε= 0.10000×10,A4=-0.96404×10-1,A6=-0.19302×10-1,A8= 0.28477×10-1,A10=-0.67647×10-2
【００８２】
《実施例６》
f=2.1〜4.2〜6.0,FNO=2.43〜3.32〜4.10
[曲率半径] [軸上面間隔]  [屈折率]   [アッベ数]
・(Gr1)
r1*=  -8.534
d1=  0.800  N1=1.52200  ν1=52.20(L1)
r2*=   3.662
d2=  5.871〜1.913〜0.700
・(Gr2)
r3*=   2.215
d3=  2.100  N2=1.61287  ν2=60.37(L2)
r4=   ∞(ST)
d4=  1.600  N3=1.61287  ν3=60.37(L2)
r5*= -10.487
d5=  0.400〜1.819〜3.071
・(Gr3)
r6*=   2.703
d6=  0.800  N4=1.52200  ν4=52.20(L3)
r7*=   1.674
d7=  0.448
・(PL)
r8=   ∞
d8=  0.900  N5=1.51680  ν5=64.20
r9=   ∞
【００８３】
[第１面(r1)の非球面データ]
ε= 0.10000×10,A4= 0.72927×10-2,A6= 0.10911×10-2,A8=-0.22950×10-3,A10= 0.10539×10-4
[第２面(r2)の非球面データ]
ε= 0.10000×10,A4= 0.85112×10-2,A6= 0.43702×10-2,A8=-0.54610×10-3,A10=-0.13000×10-4
[第３面(r3)の非球面データ]
ε= 0.10000×10,A4=-0.45515×10-2,A6=-0.49484×10-2,A8= 0.31106×10-2,A10=-0.89796×10-3
[第５面(r5)の非球面データ]
ε= 0.10000×10,A4= 0.39734×10-2,A6= 0.21339×10-1,A8=-0.31249×10-1,A10= 0.27182×10-1
[第６面(r6)の非球面データ]
ε= 0.10000×10,A4=-0.62985×10-1,A6=-0.41050×10-1,A8= 0.20587×10-1,A10=-0.75891×10-2
[第７面(r7)の非球面データ]
ε= 0.10000×10,A4=-0.38763×10-1,A6=-0.77035×10-1,A8= 0.23035×10-1,A10=-0.51051×10-2
【００８４】
《実施例７》
f=2.3〜3.4〜4.5,FNO=3.10〜3.61〜4.10
[曲率半径] [軸上面間隔]  [屈折率]   [アッベ数]
・(Gr1)
r1*=  25.732
d1=  1.806  N1=1.52200  ν1=52.20(L1)
r2*=   2.200
d2=  3.915〜2.073〜1.111
・(Gr2)
r3*=   2.037
d3=  1.300  N2=1.80420  ν2=46.50(L2)
r4=   ∞(ST)
d4=  0.600  N3=1.80420  ν3=46.50(L2)
r5=    1.400
d5=  0.010  N4=1.51400  ν4=42.83
r6=    1.400
d6=  1.450  N5=1.58463  ν5=60.65(L3)
r7*=  -4.607
d7=  0.889〜1.553〜2.223
・(PL)
r8=   ∞
d8=  1.000  N6=1.51680  ν6=64.20
r9=   ∞
d9=  0.000
r10=  ∞
d10= 0.700  N7=1.51680  ν7=64.20
r11=  ∞
【００８５】
[第１面(r1)の非球面データ]
ε= 0.10000×10,A4= 0.15427×10-1,A6=-0.52806×10-2,A8= 0.56594×10-3,A10=-0.19041×10-4
[第２面(r2)の非球面データ]
ε= 0.10000×10,A4= 0.42769×10-1,A6=-0.35731×10-1,A8= 0.55690×10-2
[第３面(r3)の非球面データ]
ε= 0.10000×10,A4= 0.55913×10-2,A6=-0.31810×10-1,A8= 0.31345×10-1,A10=-0.14209×10-1
[第７面(r7)の非球面データ]
ε= 0.10000×10,A4= 0.58443×10-1,A6=-0.20625,A8= 0.83962,A10=-0.11938×10
【００８６】
《実施例８》
f=1.8〜2.7〜3.5,FNO=3.29〜3.70〜4.10
[曲率半径] [軸上面間隔]  [屈折率]   [アッベ数]
・(Gr1)
r1*=  20.267
d1=  0.998  N1=1.52200  ν1=52.20(L1)
r2*=   2.000
d2=  5.037〜2.691〜1.463
・(Gr2)
r3*=   2.627
d3=  1.500  N2=1.84666  ν2=23.82(L2)
r4=   ∞(ST)
d4=  0.741  N3=1.84666  ν3=23.82(L2)
r5=    1.958
d5=  0.260
r6*=   2.014
d6=  1.400  N4=1.58913  ν4=61.25(L3)
r7*=  -2.938
d7=  0.900〜1.522〜2.139
・(PL)
r8=   ∞
d8=  0.800  N5=1.51680  ν5=64.20
r9=   ∞
【００８７】
[第１面(r1)の非球面データ]
ε= 0.10000×10,A4= 0.15649×10-1,A6=-0.11950×10-2,A8=-0.90579×10-4,A10= 0.89764×10-5
[第２面(r2)の非球面データ]
ε= 0.10000×10,A4= 0.34773×10-1,A6= 0.31172×10-2,A8=-0.36858×10-2
[第３面(r3)の非球面データ]
ε= 0.10000×10,A4= 0.18103×10-2,A6=-0.62976×10-2,A8= 0.19999×10-2
[第６面(r6)の非球面データ]
ε= 0.10000×10,A4=-0.21903×10-1,A6= 0.59078×10-1,A8=-0.92100×10-1
[第７面(r7)の非球面データ]
ε= 0.31488×10,A4= 0.17365×10-1,A6= 0.38965×10-1,A8=-0.22995×10-1
【００８８】
《実施例９》
f=3.9〜7.4〜11.3,FNO=2.76〜3.72〜4.78
[曲率半径] [軸上面間隔]  [屈折率]   [アッベ数]
・(Gr1)
r1*= -11.677
d1=  1.000  N1=1.52200  ν1=52.20(L1)
r2=    4.629
d2=  2.199
r3*=   9.046
d3=  1.247  N2=1.84506  ν2=23.66(L2)
r4=   19.643
d4= 11.482〜3.696〜0.800
・(Gr2)
r5=    4.644
d5=  1.500  N3=1.76539  ν3=49.76(L3)
r6=   ∞(ST)
d6=  2.100  N4=1.76539  ν4=49.76(L3)
r7=   -7.642
d7=  0.005  N5=1.51400  ν5=42.83
r8=   -7.642
d8=  1.427  N6=1.84506  ν6=23.66(L4)
r9*=  12.557
d9=  1.466〜5.307〜9.400
・(Gr3)
r10=  21.310
d10= 4.000  N7=1.52200  ν7=52.20(L5)
r11*=-10.703
d11= 0.574〜0.389〜0.100
・(PL)
r12=  ∞
d12= 2.000  N8=1.51680  ν8=64.20
r13=  ∞
【００８９】
[第１面(r1)の非球面データ]
ε= 0.10000×10,A4= 0.19166×10-2,A6=-0.91538×10-4,A8= 0.32855×10-5,A10=-0.50800×10-7
[第３面(r3)の非球面データ]
ε= 0.10000×10,A4=-0.26157×10-3,A6= 0.40777×10-4,A8=-0.14059×10-5,A10= 0.39805×10-7
[第９面(r9)の非球面データ]
ε= 0.10000×10,A4= 0.36333×10-2,A6= 0.32542×10-3,A8= 0.32531×10-5,A10= 0.28379×10-5
[第１１面(r11)の非球面データ]
ε= 0.10000×10,A4= 0.36119×10-2,A6=-0.61273×10-3,A8= 0.83993×10-4,A10=-0.45357×10-5
【００９０】
《実施例１０》
f=3.3〜6.6〜9.4,FNO=2.26〜3.24〜4.10
[曲率半径] [軸上面間隔]  [屈折率]   [アッベ数]
・(Gr1)
r1*= -38.546
d1=  1.280  N1=1.52200  ν1=52.20(L1)
r2*=   4.971
d2= 10.058〜3.422〜1.390
・(Gr2)
r3*=   4.329
d3=  4.000  N2=1.77188  ν2=42.31(L2)
r4=   ∞(ST)
d4=  2.000  N3=1.77188  ν3=42.31(L2)
r5=   -2.456
d5=  0.010  N4=1.51400  ν4=42.83
r6=   -2.456
d6=  1.000  N5=1.84506  ν5=23.66(L3)
r7*= -20.518
d7=  0.800〜3.126〜5.251
・(Gr3)
r8*=   3.410
d8=  0.900  N6=1.52200  ν6=52.20(L4)
r9*=   2.896
d9=  0.387
・(PL)
r10=  ∞
d10= 1.100  N7=1.51680  ν7=64.20
r11=  ∞
d11= 1.100  N8=1.51680  ν8=64.20
r12=  ∞
【００９１】
[第１面(r1)の非球面データ]
ε= 0.10000×10,A4= 0.29386×10-2,A6=-0.13236×10-3,A8= 0.30329×10-5,A10=-0.26272×10-7
[第２面(r2)の非球面データ]
ε= 0.10000×10,A4= 0.20851×10-2,A6= 0.22091×10-3,A8=-0.32338×10-4,A10= 0.12132×10-5
[第３面(r3)の非球面データ]
ε= 0.10000×10,A4=-0.11955×10-2,A6= 0.19527×10-3,A8=-0.39423×10-4,A10= 0.22091×10-5
[第７面(r7)の非球面データ]
ε= 0.10000×10,A4=-0.67579×10-2,A6= 0.16259×10-1,A8=-0.16186×10-1,A10= 0.61117×10-2
[第８面(r8)の非球面データ]
ε= 0.10000×10,A4=-0.33522×10-1,A6= 0.63248×10-2,A8=-0.15455×10-2,A10= 0.98139×10-4
[第９面(r9)の非球面データ]
ε= 0.10000×10,A4=-0.31190×10-1,A6= 0.15519×10-2,A8=-0.28092×10-3,A10=-0.39565×10-5
【００９２】
《実施例１１》
f=1.2〜2.3〜3.3,FNO=2.70〜3.45〜4.10
[曲率半径] [軸上面間隔]  [屈折率]   [アッベ数]
・(Gr1)
r1*=  -5.656
d1=  1.200  N1=1.52200  ν1=52.20(L1)
r2*=   4.940
d2=  7.547〜2.381〜0.800
・(Gr2)
r3*=   1.307
d3=  1.600  N2=1.52200  ν2=52.20(L2)
r4=   ∞(ST)
d4=  1.000  N3=1.52200  ν3=52.20(L2)
r5*= -38.034
d5=  0.553〜1.145〜1.666
・(PL)
r6=   ∞
d6=  0.800  N4=1.51680  ν4=64.20
r7=   ∞
【００９３】
[第１面(r1)の非球面データ]
ε= 0.10000×10,A4= 0.29728×10-1,A6=-0.50932×10-2,A8= 0.35803×10-3,A10=-0.78617×10-5
[第２面(r2)の非球面データ]
ε= 0.10000×10,A4= 0.38388×10-1,A6=-0.61134×10-2,A8=-0.87128×10-3,A10= 0.18278×10-3
[第３面(r3)の非球面データ]
ε= 0.10000×10,A4=-0.29242×10-1,A6=-0.63535×10-2,A8=-0.17980×10-2,A10=-0.14127×10-1
[第５面(r5)の非球面データ]
ε= 0.10000×10,A4= 0.22068,A6=-0.14425×10,A8= 0.78685×10,A10=-0.13278×102
【００９４】
【表１】
2005134719.tif 000003
【図面の簡単な説明】
【００９５】
【図１】第１の実施の形態(実施例１)のレンズ構成図。
【図２】第２の実施の形態(実施例２)のレンズ構成図。
【図３】第３の実施の形態(実施例３)のレンズ構成図。
【図４】第４の実施の形態(実施例４)のレンズ構成図。
【図５】第５の実施の形態(実施例５)のレンズ構成図。
【図６】第６の実施の形態(実施例６)のレンズ構成図。
【図７】第７の実施の形態(実施例７)のレンズ構成図。
【図８】第８の実施の形態(実施例８)のレンズ構成図。
【図９】第９の実施の形態(実施例９)のレンズ構成図。
【図１０】第１０の実施の形態(実施例１０)のレンズ構成図。
【図１１】第１１の実施の形態(実施例１１)のレンズ構成図。
【図１２】実施例１の収差図。
【図１３】実施例２の収差図。
【図１４】実施例３の収差図。
【図１５】実施例４の収差図。
【図１６】実施例５の収差図。
【図１７】実施例６の収差図。
【図１８】実施例７の収差図。
【図１９】実施例８の収差図。
【図２０】実施例９の収差図。
【図２１】実施例１０の収差図。
【図２２】実施例１１の収差図。
【図２３】本発明に係る撮像レンズ装置の概略光学構成を示す模式図。
【符号の説明】
【００９６】
ＵＴ    撮像レンズ装置
ＴＬ    ズームレンズ系
Ｇｒ１    第１レンズ群
Ｇｒ２    第２レンズ群
Ｇｒ３    第３レンズ群
ＳＴ    絞り
ＳＫ    コバ部
ＳＶ    絞り部
Ｌ１    第１レンズ
Ｌ２    第２レンズ
Ｌ３    第３レンズ
Ｌ４    第４レンズ
Ｌ５    第５レンズ
ＰＬ    平行平面板
ＲＬ    反射面
ＳＲ    撮像素子
ＳＳ    受光面
ＩＭ    像面
ＡＸ    光軸
【図１】
2005134719.tif 000004
【図２】
2005134719.tif 000005
【図３】
2005134719.tif 000006
【図４】
2005134719.tif 000007
【図５】
2005134719.tif 000008
【図６】
2005134719.tif 000009
【図７】
2005134719.tif 000010
【図８】
2005134719.tif 000011
【図９】
2005134719.tif 000012
【図１０】
2005134719.tif 000013
【図１１】
2005134719.tif 000014
【図１２】
2005134719.tif 000015
【図１３】
2005134719.tif 000016
【図１４】
2005134719.tif 000017
【図１５】
2005134719.tif 000018
【図１６】
2005134719.tif 000019
【図１７】
2005134719.tif 000020
【図１８】
2005134719.tif 000021
【図１９】
2005134719.tif 000022
【図２０】
2005134719.tif 000023
【図２１】
2005134719.tif 000024
【図２２】
2005134719.tif 000025
【図２３】
2005134719.tif 000026